(57)【要約】      （修正有）【課題】本来のゴルフスイングの原点に戻り簡単な構造でありながら人体の自然な動きでパターのヘッドを運ぶことを覚えさせパッティングが上達することが出来るようにしたゴルフのパター練習器を提供する。【解決手段】基板１の上面側に所要間隔を存して管状支持脚を並列状に立設し、かつ管状支持脚の上端間を前方水平方向に向けて緩やかな曲管状に形成した管状ガイドバー２で一体的に連結するとともに、パッティングの練習時には、上記ガイドバーに沿ってパタースイングを行うようにした。【選択図】図１
0003117875.tif 000002
【実用新案登録請求の範囲】
【請求項１】
ゴルフのパッティング練習器に於いて、基板の上面側に所要間隔を存して管状支持脚を並列上に立設し、かつ、管状支持脚の上端間を前方水平方向に向けて緩やかな曲管状に形成した管状ガイドバーで一体的に連結するとともに、パッティングの練習時には、上記ガイドバーに沿ってパタースイングを行うようにしたことを特徴とするゴルフのパッティング練習器。
【考案の詳細な説明】
【技術分野】
【０００１】
本考案は、ゴルフのパッティング練習器に関するものであり、詳しくは、正確なパッティングを行うための正しいパタースイングの取得を目的としたゴルフのパッティング練習器に関するものである。
【背景技術】
【０００２】
従来より、ゴルフのパッティング練習機に関しては、ゴルフのスコアーメークに於けるパッティングの重要性から種々、提案されている。
しかしながら、従来のパッティング練習器では、下記公開特許公報に開示されているように、パターのフェース面をゴルフボールの打ち出し方向に対して直交状態を維持したまま、パタースイングを行うことを目的としたものである。したがって、パターを案内するガイド体も直線状に形成されていた。
【０００３】
本来、ゴルフのスイングの、バックスイング、ダウンスイング、フォロースイングの動きは、人体の頭、背骨を結ぶ線を軸とし人体の中心より、一定の距離を保った状態での斜めの回転運動で、クラブヘッドがボールに当たる瞬間のみ、ヘッドと、ボールは、直交し、その後は、ボールの進行方向と、ヘッドの進む方向とは、異なるのが自然である。
パタースイングの場合も全く同じであって、パターのヘッドがボールに、当った後も、パターのヘッドを直交させる事は、いわゆる、押し出しの形となり、ボールに右回転を生じさせ、ボールは右に流れていく。
【０００４】
従来の技術の様に直線状に形成したガイド体を利用してパターが真直ぐ送り出されることを訓練してもいざ本番コースに出て、ガイドが無いと、本来の体の動きに負けて、不自然な動きとなる。ゴルファーは真直ぐボールを押してやれば、真直ぐボールは進むと考えて、ヘットがボールに当った後もボールを真直ぐ押すことを行っている。
【０００５】
又、パターがガイド面に案内され真直ぐに送り出される事を訓練しても、いざ本番
コースに出て、ガイドが無いと、本来の体の動きに負けて、不自然な動きとなる。
ゴルファーは、真直ぐボールを押してやれば、真直ぐボールは進むと、考えて、ヘッドがボールに、当った後も、ボールを真直ぐ、押すことを行っている。
【特許文献１】特開平１１−７６４８６公報
【特許文献２】特開平１０−１３７３７７公報
【特許文献３】特開２００５−２０５１１６公報
【考案の開示】
【考案が解決しようとする課題】
【０００６】
本考案の出願人はプロゴルファーとして３０年に及ぶ経験と公認ゴルフ教師としての実績に鑑み、従来のパッティング練習器の欠点を解消すべく創案されたものであり、その意図するところは、本来のゴルフスイングの原点に戻り簡単な構造でありながら、人体の自然な動きでパターのヘッドを運ぶことを覚えさせパッティングが上達する事が出来るようにしたゴルフのパター練習器を提供することを課題とするものである。
【課題を解決するための手段】
【０００７】
上記課題を解決するため、本考案が採用した技術手段は、ゴルフのパター練習器において、基板の上面側に所要間隔を存して管状支持脚を並列状に立設し、かつ管状支持脚の上端間を前方水平方向に向けて緩やかな曲管状に形成した管状ガイドバーで一体的に連結するとともに、パッティングの練習時には、上記ガイドバーに沿ってパタースイングを行うようにしたことを特徴とするものである。
【考案の効果】
【０００８】
以上のように、本考案のパッティング練習器は、曲管状のガイドバーにパターシャフトを当接させながら、パッティングの一連の動きを覚えさせて、正しいパッティングフォームを身に付ける事が出来る。自然の形での訓練なので、実際のプレーであっても、正確な動きとなり、確実にスコアーを向上することが可能となるものである。
構造は非常に簡単で、又、軽量で持ち運びも自由、ゴルフの愛好者であれば老若男女を問わず万人が使用出来る。
自然な形での訓練なので、実際のプレーであっても、正確な動きとなり、確実にスコアーを向上する事が可能となるものである。構造は非常に簡単で、また、軽量で持ち運びも自由、屋内、屋外を問わず、使用できる。
【考案を実施するための最良の形態】
【０００９】
本考案の構成を、添付図面を参照して詳細に説明する。図１は本考案のゴルフのパター練習器の斜視図であって、１は練習者の踏み台となる基板であり、この基板１の材質は格別の制限なく、したがって硬質合成樹脂などで形成されており、その縦幅、横幅の寸法もパッティングの練習に適した寸法であれば良い。
【００１０】
２は、パター３が案内される曲線状のガイド面を有する管状ガイドバーであって、この管状ガイドバー２は、基盤１の上面側1aに所要間隔を存して並列上に立設された管状支持脚２a,2aの上端間に一体的に連結して構成されているとともに、パター３が案内されるガイド面は、前方水平方向に向けて緩やかな曲線状に形成されている。
【００１１】
上記ガイドバー２、および支持脚2aの材質は鉄等の金属性管体でも、アルミニュウム等の非金属性管体でも、更には合成樹脂性管体でもよいが、鋼性があって、変形することなくパターのシャフトを正確にガイドできるものであればよい。又、ガイドバー２の横方向の長さ、支持脚2aの所要間隔、ガイド面の曲面形態の設定については、種々実験、実習を重ねた結果、ガイドバー２の長さは８００ｍｍ、支持脚2aの間隔は６００ｍｍ、ガイド面の曲線形態は平面視において、中心点からの突出長さ、略０．５〜５ｍｍまでとし、中心点から左右方向に緩やかな曲線状に形成するのが好適である。
【００１２】
基板１への支持脚2aの立設手段についても、格別な制限はなく、基板１に盲孔1aを穿設し、この盲孔1aに接着剤を介して支持脚2aの下端部を嵌着してもよく、また盲孔1aの代わりに取り付け座の中心部に嵌合支持部を設けた取り付け部材（図示省略）を固定し、嵌合支持部に接着剤を介して支持脚2aの下端部を嵌合固定してもよい。また、接着剤を用いることなく、嵌合支持部と支持脚2aとを螺着し、ガイドバー２を着脱自在に構成してもよい。
【００１３】
次に本考案の作用について図３ないし図５を参照して説明する。
図３は本考案のパッティング練習器のガイドバー２の平面図、図４は従来のパッティング練習器のガイドバー２１の平面図を示すものであって、いま、パター３のシャフトをガイドバー２の中央部にセットし、ガイドバー２に沿ってバックスイングを行い、中央部でパターヘッドをボールに当てパター３のシャフトをガイドバー２に沿って、フォロースイングを行うと、パター３の動きは、図３に示す矢印P２のような動きとなる。
これに対し、従来の練習器のパター３の動きは図４に示す矢印P１のような動きをする。
【００１４】
そして、本考案の練習器におけるガイドバー２と、従来の練習器におけるガイドバー２１は、図５に示すように、それぞれ中央位置M点でボールとパター３のフェースとが接触することでボールは動き出す。
しかし従来のガイドバー２１は直線状なので、ボールとパター３が接触した後も、なを、P1の方向にパター３を運ぶ結果、ボールを押し出すことになりボールに右回転を生じさせ、これが曲がりの原因となっていた。
本考案の練習器の場合はボールとパターとの接触の後、曲線状のガイドバー２によってパター3はP2のように人体の中心を軸とした本来のスイングの軌道を辿るので、ボールには、正しい回転が与えられ、ボールは真直ぐに進むことになる。
【図面の簡単な説明】
【００１５】
【図１】本考案のゴルフのパッティング練習器の斜視図。
【図２】パッティングのプレーの状態の斜視図。
【図３】本考案のパッティング練習器のガイドバーの平面図。
【図４】従来のパッティング練習器のガイドバーの平面図。
【図５】作用説明図。
【符号の説明】
【００１６】
１  基板
２  ガイドバー
３  パター
【図１】
0003117875.tif 000003
【図２】
0003117875.tif 000004
【図３】
0003117875.tif 000005
【図４】
0003117875.tif 000006
【図５】
0003117875.tif 000007